(57)【特許請求の範囲】
【請求項１】
上下方向の中心線を境に右側部分と左側部分とを備えるマスク本体部と、粘着部と、を備えるマスクであって、
前記中心線は上から上側中心線部と下側中心線部とをこの順に備え、
前記上側中心線部は右側舌片と左側舌片を接合することにより形成され、
前記下側中心線部は接合によらずに形成され、
前記右側部分は周縁部に右側上辺部、右側端部、および右側下辺部を備え、
前記右側上辺部は、中心線から右端に向かって右上切込部と右上短辺部とをこの順に備え、
前記右側下辺部は、右端から中心線に向かって右下切込部と右下短辺部とをこの順に備え、
前記左側部分は周縁部に左側上辺部、左側端部、および左側下辺部を備え、
前記左側上辺部は、中心線から左端に向かって左上切込部と左上短辺部とをこの順に備え、
前記左側下辺部は、左端から中心線に向かって左下切込部と左下短辺部とをこの順に備え、
前記右上切込部および前記左上切込部は、装着者の顔表面とマスク本体との間に隙間を形成し、
前記右下短辺部および前記左下短辺部は、装着者の顔表面から離間する
ことを特徴とする、マスク。
【請求項２】
前記上側中心線部と下側中心線部の長さの比が２：１から１：１の範囲内であることを特徴とする、請求項１に記載のマスク。
【請求項３】
前記マスク本体部の厚さが２００マイクロメートル以下であることを特徴とする、請求項１または請求項２に記載のマスク。
【請求項４】
前記粘着部は少なくとも
前記右側部分の内側上部に配設される右上粘着部と、
前記左側部分の内側上部に配設される左上粘着部と、
を備えることを特徴とする、請求項１から請求項３のいずれかに記載のマスク。
【発明の詳細な説明】
【技術分野】
【０００１】
本発明は、マスクに関する。
【背景技術】
【０００２】
空気感染による感染症の拡大を防ぐ一つの手段として、マスクの使用がある。そして、マスクの効果の一つとして、ウィルスを含む呼気や飛沫の拡散防止が挙げられる。
【０００３】
マスクについて種々の形状が開示されている。例えば、鼻下と口の前部の空間を広く通気領域として確保することで、息のし易さ等を確保したものが開示されている（特許文献１）。また、マスク本体が上マスク部と下マスク部とからなり、下マスク部の裾を手でつまみ上げるだけで飲食ができるフェイスマスクが開示されている（特許文献２）。
【０００４】
さらに、顔全体を保護するフェイスシールド（例：特許文献３）が、飛沫の拡散防止という観点で用いられている。フェイスシールドの場合、呼吸のし易さなどが利点として挙げられる。
【先行技術文献】
【特許文献】
【０００５】
【特許文献１】特開２０１３−０４６６４７号公報
【特許文献２】特開２０１４−０８８６５０号公報
【特許文献３】特表２００１−５１４９４８号公報
【発明の概要】
【発明が解決しようとする課題】
【０００６】
しかしながら、マスクやフェイスシールドを着用したままの飲食は困難であり、飲食時には外す必要がある。よって、飛沫の拡散防止という観点からすると不十分であった。
一方で、口とマスクとの間に空間を確保すべく、フェイスシールドのような形状やマスクの鼻先が突出する形状とした場合、その構造上、手元や足元の視界を阻害するという欠点がある。さらにフェイスシールドの場合、眼前に透明板が配設されることによる不快感を生じる場合もある。
さらに、従来のマスクは不織布等を何層も積層させて形成するために重量があり、長時間の着用に不快感を覚える場合もあった。さらに、ゴム紐等の耳掛けによりマスク本体を顔面に密着させるマスクは、耳の後ろに耳掛けが触れることやマスク本体の密着による不快感が生じることもあった。
【０００７】
即ち、飛沫の拡散抑制というマスクの機能を保持しつつ、飲食の容易さや呼吸のしやすさ、着用に際しての不快感の軽減、そして手元や足元の視界確保を鼎立することが課題であった。
【課題を解決するための手段】
【０００８】
本発明は上記課題を鑑みてなされたものであり、以下の手段を採用している。
（１）請求項１の発明は、上下方向の中心線を境に右側部分と左側部分とを備えるマスク本体部と、粘着部と、を備えるマスクであって、前記中心線は上から上側中心線部と下側中心線部とをこの順に備え、前記上側中心線部は右側舌片と左側舌片を接合することにより形成され、前記下側中心線部は接合によらずに形成され、前記右側部分は周縁部に右側上辺部、右側端部、および右側下辺部を備え、前記右側上辺部は、中心線から右端に向かって右上切込部と右上短辺部とをこの順に備え、前記右側下辺部は、右端から中心線に向かって右下切込部と右下短辺部とをこの順に備え、前記左側部分は周縁部に左側上辺部、左側端部、および左側下辺部を備え、前記左側上辺部は、中心線から左端に向かって左上切込部と左上短辺部とをこの順に備え、前記左側下辺部は、左端から中心線に向かって左下切込部と左下短辺部とをこの順に備え、前記右上切込部および前記左上切込部は、装着者の顔表面とマスク本体との間に隙間を形成し、前記右下短辺部および前記左下短辺部は、装着者の顔表面から離間することを特徴とする、マスクを提供する。
（２）請求項２の発明は、前記上側中心線部と下側中心線部の長さの比が２：１から１：１の範囲内であることを特徴とする、請求項１に記載のマスクを提供する。
この場合、着用者の口元とマスクの間の空間を確保し、飲食のし易さを確保しつつ、着用者の下方向の視界を確保することができる。
（３）請求項３の発明は、前記マスク本体部の厚さが２００マイクロメートル以下であることを特徴とする、請求項１または請求項２に記載のマスクを提供する。
この場合、マスクが軽量になり、マスク装着時の不快感を低減するとともに、マスクが自然に脱落することを抑制する。
（４）請求項４の発明は、前記粘着部は少なくとも前記右側部分の内側上部に配設される右上粘着部と、前記左側部分の内側上部に配設される左上粘着部と、を備えることを特徴とする、請求項１から請求項３のいずれかに記載のマスクを提供する。
この場合、粘着部が着用者の頬骨付近に配設されるため、マスク着用時にマスクが安定する。
【発明の効果】
【０００９】
本発明のマスクは、右側舌片と左側舌片の接合により形成される上側中心線部部分が前方に突出しているため、鼻下および口周辺部に空間を確保することができる。このことにより、マスクを装着したままでも飲食ができるという利点がある。また、右下切込部や左下切込部、さらに右端切込部や左端切込部により、飲食物がマスクに接触せず、飲食しやすいという効果がある。さらに、右上切込部や左上切込部により着用者の顔面とマスク上部との間に隙間ができるため、着用者の手元や足元といった下方向の視界が良好になるという利点がある。
即ち、本発明のマスクは、飛沫の拡散抑制という従来のマスクの機能を保持しつつ、飲食の容易さや、手元や足元の視界の確保が利点として挙げられる。
【図面の簡単な説明】
【００１０】
【図１】本実施形態に係るマスクの着用状態を、右側から観察した図である。
【図２】本実施形態に係るマスクの着用状態を、左側から観察した図である。
【図３】本実施形態に係るマスクの縫合前を示した図である。
【図４】本実施形態に係るマスクを折り畳んだ状態を示す図である。
【図５】本実施形態に係るマスクの着用状態を示す斜視図である。
【図６】第二の実施形態に係るマスクの六面図である。
【図７】第二の実施形態に係るマスクの平面図である。
【図８】第二の実施形態に係るマスクの左側面図である。
【図９】第二の実施形態に係るマスクの正面図である。
【図１０】第二の実施形態に係るマスクの右側面図である。
【図１１】第二の実施形態に係るマスクの背面図である。
【図１２】第二の実施形態に係るマスクの底面図である。
【発明を実施するための形態】
【００１１】
本発明の実施形態を図面に基づいて説明する。以下の各実施形態では、同一又は対応する部分については同一の符号を付して説明を適宜省略する場合がある。また、以下に用いる図面は本実施形態を説明するために用いるものであり、実際の寸法とは異なる場合がある。
【００１２】
マスクの向きや方向を説明するに際し、上側とはマスク装着者の額側を、下側とはマスク装着者の顎側を指す。また、右側とはマスク装着者側から見て右側を、左側とはマスク装着者側から見て左側を指す。さらに、前後方向はマスク装着者の前後方向を指す。例えば、マスク装着者の視線方向は前方向である。
裏面とはマスク装着者に接する面を指し、表面とはその反対面を指す。なお、上下方向を垂直方向と、前後左右方向を水平方向と表現する場合がある。
【００１３】
（実施形態の概要）
本実施形態のマスク１は、マスク本体部１０と、装着者の顔面にマスクを密着させる粘着部４０とを備える。
マスク本体部１０の右側舌片１７０と左側舌片２２０の接合により形成される上側中心線部１２２部分が、装着時に前方に突出するため、装着者の鼻下および口周辺に空間を確保する。これにより、着用者はマスクを装着したままでも飲食が可能になる。また、右下切込部１６２や左下切込部２１２、右端切込部１５４や左端切込部２０４により、飲食物がマスクに接触せず、飲食が容易になる。さらに、右上切込部１４２や左上切込部１９２により着用者の顔面とマスク上部との間に隙間ができるため、着用者の手元や足元といった下方向の視界が良好になる。
【００１４】
（実施形態の詳細）
以下、図を用いて本実施形態の詳細を説明する。
【００１５】
（第一の実施形態）
本実施形態に係るマスク１は、中心線１２を境に右側部分１４と左側部分１９とを備えるマスク本体部１０と、粘着部４０とを備える。以下、図面を用いて説明する。なお、粘着部４０については図３で説明する。
【００１６】
図１は第一の実施形態に係るマスク１を着用者が着用した状態を、右側から観察した図である。図１を用いてマスク本体部１０の右側部分１４について説明する。図１に示すように、右側部分１４は周縁に中心線１２、右側上辺部１４０、右側端部１５０および右側下辺部１６０を備える。
【００１７】
＜中心線１２＞
中心線１２はマスク本体部１０の表面に沿って、マスク本体部１０の上端から下端まで縦断する。中心線１２はマスク本体部１０を右側部分１４と左側部分１９に分割する境界部分である。第一の実施形態に係るマスクの右側部分１４と左側部分１９は、中心線１２を含む面を対象面とした対称構造を備える。
なお以後の説明に際し、中心線１２はマスク１の表側、裏側の双方の説明に用いるが、特に区別する必要がある場合は中心線１２表側、中心線１２裏側などと表記する。
【００１８】
中心線１２は上側中心線部１２２と下側中心線部１２４に区分される。
上側中心線部１２２は後述する右側舌片１７０と左側舌片２２０を接合することにより形成される。上側中心線部１２２は装着者の鼻筋に沿う。
下側中心線部１２４は一体として形成されるマスク１の右側部分１４と左側部分１９の境界部分である。下側中心線部１２４は、本実施形態のマスク１が折り畳む際の折り目となる線（折目線）である。即ち、下側中心線部１２４は上側中心線部１２２と異なり、接合によらずに形成される。
【００１９】
本実施形態のマスク１において、上側中心線部１２２と下側中心線部１２４の長さの比（以下、中心線線分比と称する）は１．５：１である。中心線線分比は２：１から１：１の範囲にあることが好ましく、１．７５：１から１．２５：１の範囲にあることがさらに好ましい。この範囲より上側中心線部１２２の方が長くなると、マスクの形状が前方向に突出するため、マスク装着者の下方向の視界を阻害する。また、この範囲より下側中心線部１２４の方が長くなると、装着者の顔面とマスクとが密接するため、装着者の飲食の阻害となる。
【００２０】
なお、以下マスク本体部１０の説明において、装着者の鼻筋に向かう方向を中心線方向や中心線側、耳側（端側）に向かう方向を外側方向や端方向、端側とも表現する。
【００２１】
＜右側上辺部１４０＞
右側上辺部１４０は端部で接続する右上切込部１４２と右上短辺部１４４を備える。右側上辺部１４０は、中心線側から右端に向かって右上切込部１４２と右上短辺部１４４とをこの順に備える。右上切込部１４２は曲線である。右上切込部１４２の中心線側の端は上側中心線部１２２の上端に接する。また、右上短辺部１４４は直線である。
【００２２】
右上切込部１４２の中心線側は、装着者の鼻に接する。また、右上短辺部１４４は装着者の右頬の頬骨周辺に接する。一方で、右上切込部１４２の一部は装着者に接触せず、装着者の顔表面との間に隙間を与える（図５）。これは、この部分を裁断し、切込を入れることで、当該隙間を確保し、装着者の下方向の視界を確保するものである。この隙間により、例えば飲食時において手元や口元を確認することができる。
【００２３】
＜右側端部１５０＞
右側端部１５０は端部で接続する右端直線部１５２と右端切込部１５４を備える。右側端部１５０は上側から下側に向かって右端直線部１５２と右端切込部１５４とをこの順に備える。右端直線部１５２は直線である。また、右端切込部１５４も直線である。右端直線部１５２の上側の端は右上短辺部１４４の端に接する。また、右端切込部１５４の下側の端は後述する右下切込部１６２の端に接する。
【００２４】
本実施形態のマスク１着用に際し、右端直線部１５２が垂直方向となるように装着する。また、右端切込部１５４により、箸やストローなどの器具がマスクに接触することを回避し、装着者の飲食が容易になる。
【００２５】
＜右側下辺部１６０＞
右側下辺部１６０は、端部で接続する右下切込部１６２と右下短辺部１６４を備える。右側下辺部１６０は、右端から中心部に向かって右下切込部１６２と右下短辺部１６４とをこの順に備える。右下切込部１６２は曲線である。また、右下短辺部１６４は直線である。右下短辺部１６４の中心線側の端は下側中心線部１２４の下端に接する。
【００２６】
右下短辺部１６４と装着者の顔表面は離間する。また、右下切込部１６２の中心線側と装着者の顔表面も離間する。よって、右側下辺部１６０と装着者の顔表面との間には隙間がある。即ち、装着者の口元周辺とマスク本体部１０との間には空間が確保されており、その空間は下方向に開放されている。このことにより、装着者は本実施形態のマスク１を着用したままで飲食をすることができる。
ここで、本実施形態のマスク１が右下切込部１６２を備えることにより、箸やストローなどの器具がマスクに接触することを回避し、飲食がより容易になる。例えば右下切込部１６２が無く、上述の右端直線部１５２と右下短辺部１６４が直接接続しても下方向の空間は確保されるため、飲食は可能であるが、右下切込部１６２を設けることで、飲食がさらに容易になる。
【００２７】
上述のように、本実施形態のマスクは右端切込部１５４と右下切込部１６２を備える。説明のために右側端部１５０と右側下辺部１６０で分けているが、マスク右側部分１４は右上切込部１４２以外に２つの切込部分を備えることが特徴である。飲食を容易にする点で右下切込部１６２の役割が大きいが、２つの切込部分を備えることでより飲食が容易になる。
【００２８】
図２は本実施形態に係るマスク１を着用者が着用した状態を、左側から観察した図である。図２を用いてマスク本体部１０の左側部分１９について説明する。図２に示すように、左側部分１９は周縁に中心線１２、左側上辺部１９０、左側端部２００および左側下辺部２１０を備える。中心線１２については既に説明しているため、それ以外の要素について説明する。
【００２９】
＜左側上辺部１９０＞
左側上辺部１９０は端部で接続する左上切込部１９２と左上短辺部１９４を備える。左側上辺部１９０は、中心線側から左端に向かって左上切込部１９２と左上短辺部１９４とをこの順に備える。左上切込部１９２は曲線である。左上切込部１９２の中心線側の端は上側中心線部１２２の上端に接する。また、左上短辺部１９４は直線である。
【００３０】
左上切込部１９２の中心線側は装着者の鼻に接する。また、左上短辺部１９４は装着者の左頬の頬骨周辺に接する。一方で、左上切込部１９２の一部は装着者に接触せず、装着者の顔表面との間に隙間を与える（図５）。これは右上切込部１４２と同様であるため説明を省略する。
【００３１】
＜左側端部２００＞
左側端部２００は端部で接続する左端直線部２０２と左端切込部２０４を備える。左側端部２００は上側から下側に向かって左端直線部２０２と左端切込部２０４とをこの順に備える。左端直線部２０２は直線である。また、左端切込部２０４も直線である。左端直線部２０２の上側の端は左上短辺部１９４の端に接する。また、左端切込部２０４の下側の端は後述する左下切込部２１２の端に接する。
【００３２】
本実施形態のマスク１着用に際し、左端直線部２０２が垂直方向となるように装着する。また、左端切込部２０４により、箸やストローなどの器具がマスクに接触することを回避し、装着者の飲食が容易になる。
【００３３】
＜左側下辺部２１０＞
左側下辺部２１０は、端部で接続する左下切込部２１２と左下短辺部２１４を備える。左側下辺部２１０は、左端から中心部に向かって左下切込部２１２と左下短辺部２１４とをこの順に備える。左下切込部２１２は曲線である。また、左下短辺部２１４は直線である。左下短辺部２１４の端は下側中心線部１２４の下端に接する。
【００３４】
左下短辺部２１４と装着者の顔表面は離間する。また、左下切込部２１２の中心線側と装着者の顔表面も離間する。よって、左側下辺部２１０と装着者の顔表面との間には隙間がある。これは右側下辺部１６０と同様であるため説明を省略する。
本実施形態のマスク１が左下切込部２１２を備えることにより、箸やストローなどの器具がマスクに接触することを回避し、飲食がより容易になる点、左下切込部２１２を設けることで、飲食がさらに容易になる点も同様である。
【００３５】
上述のように、本実施形態のマスクは左端切込部２０４と左下切込部２１２を備える。説明のために左側端部２００と左側下辺部２１０で分けているが、マスク左側部分１９は左上切込部１９２以外に２つの切込部分を備えることが特徴である。飲食を容易にする点で左下切込部２１２の役割が大きいが、２つの切込部分を備えることでより飲食が容易になる。
【００３６】
図３は縫合前マスク１Ａを図示したものである。縫合前マスク１Ａは本実施形態に係るマスク１の縫合前の状態である。図３は裏面から観察した状態を表した図である。縫合前マスク１Ａの右側舌片１７０と左側舌片２２０を縫合糸３０で縫合することにより、本実施形態のマスク１が形成される。
【００３７】
縫合前マスク１Ａは、右側部分１４Ａと左側部分１９Ａを備えるマスク本体部１０Ａと、粘着部４０を備える。
右側部分１４Ａは周縁に右側上辺部１４０、右側端部１５０、右側下辺部１６０を備える。また、右側部分１４Ａは右側舌片１７０を備える。図３に示すように、右側舌片１７０は右側舌片側辺部１７２、右側舌片上辺部１７４、右側折目部１７６、舌片共有辺部１８０で囲まれる部分である。
右側舌片上辺部１７４の端は右上切込部１４２の端と接続する。右側折目部１７６の上端も、右上切込部１４２の端と接続する。
なお便宜上、右側舌片１７０の表側を右側接合面と表記する。
【００３８】
左側部分１９Ａはその周縁部に左側上辺部１９０、左側端部２００、左側下辺部２１Ａを備える。また、左側部分１９Ａは左側舌片２２０を備える。図３に示すように、左側舌片２２０は左側舌片側辺部２２２、左側舌片上辺部２２４、左側折目部２２６、舌片共有辺部１８０で囲まれる部分である。
左側舌片上辺部２２４の端は左上切込部１９２の端と接続する。左側折目部２２６の上端も、左上切込部１９２の端と接続する。
なお便宜上、左側舌片２２０の表側を左側接合面と表記する。
【００３９】
図３のうち、右側上辺部１４０、右側端部１５０、右側下辺部１６０、左側上辺部１９０、左側端部２００、左側下辺部２１０に対応する部分については図１で説明済みのため、説明は省略する。
【００４０】
＜右側舌片１７０・左側舌片２２０＞
図３に示すように、右側舌片１７０はマスク１の右側部分１４の中心線側に配設される。左側舌片２２０はマスク１の左側部分１９の中心線側に配設される。上述したように、右側舌片１７０と左側舌片２２０とが接合糸で縫合されることにより、上側中心線部１２２が形成される。
【００４１】
具体的には、右側舌片１７０を右側折目部１７６に沿って紙面手前側に折り込み、また左側舌片２２０を左側折目部２２６に沿って紙面手前側に折り込む。向かい合わせになった右側接合面（右側舌片１７０の表側）と左側接合面（左側舌片２２０の表側）が接するように重ね合わせる。そして、右側接合面と左側接合面が接合した状態で右側舌片１７０と左側舌片２２０を縫合糸３０により縫合する。ここで、縫合の方法は右側舌片１７０と左側舌片２２０を接合できれば良く、任意の方法が用いられる。例えば本実施形態では、１本針３本糸のロックミシンで縫合を行っている。
なお、右側部分１４と左側部分１９を接合する方法は縫合に限られるものではない。例えば、右側舌片１７０と左側舌片２２０は接着剤で接合されても良い。
【００４２】
縫合等の接合により形成された上側中心線部１２２部分は、接合されてない下側中心線部１２４部分と比べ、高い強度を有する。そのため、上側中心線部１２２部分は装着時に折れることなく、マスクと装着者の口元周辺との空間を長時間維持する。
本実施形態のマスク１は後述するように不織布で形成されている。そのため、縫合等の接合を用いないと、マスク本体部１０が風の影響等で容易に折れ曲がってしまい、その形状を維持できず、実用上の問題がある。しかしながら、本実施形態のマスクは接合により強度が増しているため、マスクの軽量性を維持しつつも、強固に形状を維持し、長時間の使用に耐え得る。
【００４３】
＜粘着部４０＞
本実施形態のマスク１は粘着部４０を備える。粘着部４０はマスク１を装着者の顔表面に固定する。第一の実施形態におけるマスク１は、粘着部４０として右上粘着部４２、左上粘着部４４の他、右端粘着部４６と左端粘着部４８を備える。マスク１Ａとマスク１で粘着部４０の位置は一致するため、粘着部４０の位置は図３を用いて説明する。
【００４４】
＜右上粘着部４２＞
右上粘着部４２は右側上辺部１４０の右上短辺部１４４に沿って配設される粘着体により構成される。本実施形態において、粘着体は両面テープである。当該両面テープは、製造販売時において剥離紙により保護されている。使用時に剥離紙を剥がすことにより本実施形態のマスク１を使用する。
なお、左上粘着部４４は左右が異なる以外は右上粘着部４２と構造や機能が同一であるため、説明を省略する。
【００４５】
＜右端粘着部４６＞
右端粘着部４６は右側端部１５０の右端直線部１５２に沿って配設される粘着体により構成される。本実施形態において、粘着体は両面テープである。着用時の使用方法は右上粘着部４２と同一であるため説明を省略する。
なお、左端粘着部４８は左右が異なる以外は右端粘着部４６と構造や機能が同一であるため、説明を省略する。
【００４６】
粘着部４０は右上粘着部４２と左上粘着部４４だけでも良い。右端粘着部４６と左端粘着部４８のみに粘着体を配設する場合と比べ、着用者の頬骨近辺にマスク１を粘着することで、着用時の安定性が向上する。しかしながら、右上粘着部４２と左上粘着部４４に加えてさらに右端粘着部４６と左端粘着部４８を備えることにより、マスクが外れにくくなり、さらに安定するという利点がある。
【００４７】
図４は本実施形態のマスク１を折り畳んだ状態を示す図である。上述したように、右側部分１４と左側部分１９は中心線１２を含む面を対称面とする対称構造である。そのため、右側上辺部１４０と左側上辺部１９０、右側端部１５０と左側端部２００、右側下辺部１６０と左側下辺部２１０は側面視で重なり合い、図４のようになる。
右側舌片１７０と左側舌片２２０を縫合糸３０で縫合した部分および粘着部４０は表側に表れないため、破線で表示する。図中のジグザグ線は縫合糸３０による縫合部分を表す。
【００４８】
以下、マスクの周縁を形成する直線部分や曲線部分の接線等が成す角度について説明する。この角度は装着者の視界や装着感、マスクの飛沫拡散防止性能に大きく影響する。以下の角度は図４に示したように折り畳んだ状態における角度であり、すべて内角で表示する。
【００４９】
本実施形態において、折り畳み状態における上側中心線部１２２と下側中心線部１２４が成す角は１５５度である。
この上側中心線部１２２と下側中心線部１２４が成す角は１５０度から１６５度の範囲内であることが好ましい。１６５度より大きくなるとマスクが水平方向に突出するような形となり、装着者の下方向の視界の妨げになる。また、１５０度より小さくなると、飲食に際してマスクが妨げとなる。
【００５０】
本実施形態において、右上切込部１４２の中心側の端における接線と、上側中心線部１２２が成す角は９０度である。この角度は８０度から１００度の範囲内であることが好ましい。この角度が８０度より小さくなると、上曲線部によりマスクと装着者との間に生じる空隙が小さくなり、装着者の手元や口元の視界が阻害される。この角度が１００度より大きい場合は右上切込部１４２によりマスクと装着者との間に生じる空隙が大きくなり、マスクの安定装着感を損なう。
同様に、左上切込部１９２の中心側の端における接線と、上側中心線部１２２が成す角は９０度である。この角度は８０度から１００度であることが好ましい。
【００５１】
本実施形態において、右端直線部１５２と右上短辺部１４４の成す角は１１５度である。この角度は、１１０度から１２０度の範囲内であることが好ましい。１２０度より大きくなるとマスクが水平方向に突出するような形となり、装着者の下方向の視界の妨げになる。また、１１０度より小さくなると、右上切込部１４２によりマスクと装着者との間に生じる空隙が小さくなり、装着者の手元や口元の視界が阻害される。
同様に、左端直線部２１２と左上短辺部１９４の成す角は１１５度である。この角度は、１１０度から１２０度の範囲内であることが好ましい。
【００５２】
図５は本実施形態のマスク１を装着者が装着した状態を説明する図である。図中の二点鎖線は装着者の顔表面のラインを示す。即ち、装着者の顔表面のラインと、マスクの上辺部（右側上辺部１４０、左側上辺部１９０）との間には隙間がある。上述したように、この隙間があることで、装着者の下方向の視界、即ち手元や口元の視界が確保される。
【００５３】
（第二の実施形態）
図６は第二の実施形態に係るマスクの立体形状を六面図で表したものである。以下図７から図１２はこの六面図から各図面を切り出したものである。図６中、上段の図は平面図を表す。中段の図は左から順に左側面図、正面図、右側面図、背面図である。下段の図は底面図を表す。
ここでは、着用者から見たマスクの向き、即ちマスクの裏面側から観察した図を正面図として表す。粘着部４０は織り込まれた部分に隠れるため、図示していない。また、布の折れにより生じる線（折り目）は表示していない。第二の実施形態に係るマスクは、第一の実施形態に係るマスクとは寸法が異なる。
【００５４】
図７は第二の実施形態のマスク１の平面図である。
【００５５】
図８は第二の実施形態のマスク１の左側面図である。
【００５６】
図９は第二の実施形態のマスク１の正面図である。
【００５７】
図１０は第二の実施形態のマスク１の右側面図である。
【００５８】
図１１は第二の実施形態のマスク１の背面図である。マスクを表側から観察した図である。
【００５９】
図１２は第二の実施形態のマスク１の底面図である。
【００６０】
本実施形態におけるマスク本体部１０は不織布で構成される。粘着部４０を皮膚に直接貼り付けて使用するため、マスク本体部１０は薄く、軽量であることが好ましい。
例えば本実施形態におけるマスク本体部１０は、一層の不織布で構成される。これにより、多層の不織布を重ねたマスクや、プラスチック製のフェイスシールドと比べ、薄く軽量である。
【００６１】
本実施形態において、マスク本体部１０の厚さは２００マイクロメートルである。マスク本体部１０の厚さは４００マイクロメートル以下であることが好ましく、２００マイクロメートル以下であることがより好ましい。マスク本体部１０の厚さが４００マイクロメートル以下であればマスクが軽くなるため、装着者の顔面からマスクが自然に脱落してしまうことが抑制される。その結果、長時間の使用に耐え得る。さらに２００マイクロメートル以下の厚みであれば、マスクがより軽くなるため、装着者の顔面からマスクが自然に脱落することがほぼ抑制され、さらに長時間の使用に耐え得る。
【００６２】
本実施形態のマスク１は右側部分１４と左側部分１９が中心線１２を含む面を対称面とする対称構造である。しかしながら、これに限られるものではなく、発明の趣旨を超えない範囲において、右側部分１４と左側部分１９が非対象構造を有していても良い。例えば、右利きの装着者と左利きの装着者に対応するように、適宜改良を加えても良い。具体的には、右利きの装着者の利便性を上げるため、右下切込部１６２を（左下切込部２１２に比べて）マスク中央方向に深く裁断し、開放する空間をより大きくすることが考えられる。
【００６３】
本実施形態において、粘着体は両面テープである。しかしながらこれに限られるものではなく、マスク本体部１０と着用者の顔面を密着するという目的を達するものであれば代替可能である。そのようなものとして、例えば粘着性を有するゲルなどが挙げられる。この場合、洗って乾燥させることで粘着性が回復し、再利用が可能になるなどの利点がある。
また、粘着部４０は右側と左側で別々に配設されるものに限られない。例えば、右上切込部１４２と左上切込部１９２近傍を横方向に横断する１本の粘着体を用いても良い。
【００６４】
なお、図４および図６から図１２において、意匠的特徴部分については実線で示している。本願を意匠登録出願に変更する場合、図面において実線で示した部分を「意匠登録を受けようとする意匠」とすることができる。即ち、マスク１の全体形状を「意匠登録を受けようとする意匠」として意匠登録出願に変更してもよい。この場合、図面に描かれた引出線や符号は変更出願の必要に応じて適宜削除される。また、図１〜図１２の図面のうち、任意の図面を変更出願における参考図に用いても良い。図１〜図１２の図面により、マスク１を特定できるあらゆる態様の意匠が記載されている。
【符号の説明】
【００６５】
１    マスク
１Ａ    縫合前マスク
１０    マスク本体部
１２    中心線
１２２  上側中心線部
１２４  下側中心線部
１４    右側部分
１４Ａ  右側部分
１４０    右側上辺部
１４２    右上切込部
１４４    右上短辺部
１５０    右側端部
１５２    右端直線部
１５４    右端切込部
１６０    右側下辺部
１６２    右下切込部
１６４    右下短辺部
１７０    右側舌片
１７２    右側舌片側辺部
１７４    右側舌片上辺部
１７６    右側折目部
１８０    舌片共有辺部
１９    左側部分
１９Ａ  左側部分
１９０    左側上辺部
１９２    左上切込部
１９４    左上短辺部
２００    左側端部
２０２    左端直線部
２０４    左端切込部
２１０    左側下辺部
２１２    左下切込部
２１４    左下短辺部
２２０    左側舌片
２２２    左側舌片側辺部
２２４    左側舌片上辺部
２２６    左側折目部
３０    縫合糸
４０    粘着部
４２    右上粘着部
４４    左上粘着部
４６    右端粘着部
４８    左端粘着部
【要約】
【課題】飛沫の拡散抑制という従来のマスクの機能を保持しつつ、飲食の容易さや呼吸のしやすさ、着用に際しての不快感の軽減、そして手元や足元の視界確保を鼎立することが課題であった。
【解決手段】本実施形態のマスク１は、マスク本体部１０と、装着者の顔にマスクを密着させる粘着部４０とを備える。マスク本体部１０の右側舌片１７０と左側舌片２２０の接合により形成される上側中心線部１２２部分が装着時に装着者の前方に突出するため着用者の口周辺に空間を確保する。これにより、装着者はマスクを装着したままでも飲食が可能になる。また、右下切込部１６２や左下切込部２１２、右端切込部１５４や左端切込部２０４により、飲食物がマスクに接触せず飲食が容易になる。さらに、右上切込部１４２や左上切込部１９２により着用者の顔面とマスク上部との間に隙間ができるため、着用者の手元など下方向の視界が良好になる。
【選択図】図１【図１】
0006871586.tif 000002
【図２】
0006871586.tif 000003
【図３】
0006871586.tif 000004
【図４】
0006871586.tif 000005
【図５】
0006871586.tif 000006
【図６】
0006871586.tif 000007
【図７】
0006871586.tif 000008
【図８】
0006871586.tif 000009
【図９】
0006871586.tif 000010
【図１０】
0006871586.tif 000011
【図１１】
0006871586.tif 000012
【図１２】
0006871586.tif 000013